(57)【特許請求の範囲】
【請求項１】
無線フレーム内の第１のスロットおよび前記無線フレーム内の前記第１のスロットに続く第２のスロットに対応するチャネル測定値を基地局において取得することと、
関連するＲＬＳ（無線リンクセット）のサイズおよび電力制御コマンド情報タイミングオフセットに関連するパラメータを前記基地局において識別することと、
調整された時間において、前記識別したパラメータに基づいて電力制御コマンド情報を前記基地局において生成することと、
を備える方法。
【請求項２】
前記ＲＬＳ（無線リンクセット）内の無線リンクの数を識別することと、
前記電力制御コマンド情報タイミングオフセットに関連するタイミングオフセットパラメータを識別することと、
所与の無線フレームスロットでＵＥ（ユーザ装置ユニット）から取得した１つまたは複数のパイロットシンボルからＳＩＲ（信号対干渉比）測定値を取得することと、
前記ＲＬＳが２つ以上の無線リンクを含み前記タイミングオフセットパラメータが０−ｂｐｇ（基本処理グループ）ＴＰＣオフセットまたは１−ｂｐｇ  ＴＰＣオフセットを示すことを決定するときに前記ＳＩＲ測定値を取得した前記無線フレームスロットの直後の無線フレームスロットで前記ＳＩＲ測定値を使用するＴＰＣコマンドビットを生成することと、
をさらに備える請求項１に記載の方法。
【請求項３】
前記識別したパラメータの関数として前記第１のスロットに対応する前記チャネル測定値または前記第２のスロットに対応する前記チャネル測定値を選択すること、をさらに備える請求項１に記載の方法。
【請求項４】
前記選択することは、前記関連するＲＬＳの前記サイズが１より大きく、前記電力制御コマンド情報タイミングオフセットが前記第１のスロットに関連する電力制御コマンド結合周期と、前記第１のスロットの境界との間の差より少ない場合、前記第１のスロットに対応する前記チャネル測定値を選択することを備える、
請求項３に記載の方法。
【請求項５】
前記電力制御コマンド情報タイミングオフセットが０または１ビットと等しい場合、前記選択することは、前記第１のスロットに対応する前記チャネル測定値を選択することを備える、
請求項４に記載の方法。
【請求項６】
前記電力制御コマンド情報は、送信機電力制御（ＴＰＣ）コマンドビットを備える、
請求項１に記載の方法。
【請求項７】
前記取得することは、前記第１のスロットおよび前記第２のスロットに対応するＳＩＲ（信号対干渉比）測定値を取得することを備える、
請求項１に記載の方法。
【請求項８】
前記取得することは、
ＵＥ（ユーザ装置ユニット）からパイロット信号を受信することと、
前記パイロット信号の品質を測定することと、
を備える、請求項１に記載の方法。
【請求項９】
前記パイロット信号は、ＤＰＣＣＨ（専用物理制御チャネル）を通じて前記ＵＥから受信される、
請求項８に記載の方法。
【請求項１０】
Ｆ−ＤＰＣＨ（フラクショナル専用物理チャネル）上で前記電力制御コマンド情報を送信することをさらに備える、
請求項１に記載の方法。
【請求項１１】
チャネル測定値の選択まで、前記第１のスロットに対応する前記チャネル測定値または前記第２のスロットに対応する前記チャネル測定値のうちの少なくとも１つをバッファすることをさらに備える、
請求項１に記載の方法。
【請求項１２】
ワイヤレス通信装置であって、
前記ワイヤレス通信装置に関連するＲＬＳ（無線リンクセット）サイズおよびＴＰＣ（送信機電力制御）タイミングオフセットパラメータに関する識別したデータを格納するメモリと、
無線フレーム内の第１のスロットおよび前記無線フレーム内の前記第１のスロットに続く第２のスロットに対応するチャネル測定値を取得し、調整された時間において、前記識別したデータを使用してＴＰＣコマンドビットを生成するように構成されたプロセッサと、
を備えるワイヤレス通信装置。
【請求項１３】
前記プロセッサは、前記ＲＬＳサイズおよび前記ＴＰＣタイミングオフセットパラメータに基づいて前記取得したチャネル測定値からチャネル測定値を選択するようにさらに構成される、請求項１２に記載のワイヤレス通信装置。
【請求項１４】
前記ＲＬＳサイズが１より大きく前記ＴＰＣタイミングオフセットパラメータが無線フレームスロットに関連するＴＰＣ結合ウィンドウと前記無線フレームスロットの境界との間のオフセットより小さい場合、前記プロセッサは、前記第１のスロットに対応する前記チャネル測定値を選択するようにさらに構成される、
請求項１３に記載のワイヤレス通信装置。
【請求項１５】
前記ＴＰＣタイミングオフセットパラメータが前記無線フレームスロット内の１ビット以下に対応する場合、前記プロセッサは、前記第１のスロットに対応する前記チャネル測定値を選択するようにさらに構成される、
請求項１４に記載のワイヤレス通信装置。
【請求項１６】
前記チャネル測定値は、それぞれＳＩＲ（信号対干渉比）測定値を備える、
請求項１２に記載のワイヤレス通信装置。
【請求項１７】
前記プロセッサは、ユーザ端末からパイロット信号を受信し、前記パイロット信号の品質を測定することによってチャネル測定値を取得するように構成される、
請求項１２に記載のワイヤレス通信装置。
【請求項１８】
前記プロセッサは、ＤＰＣＣＨ（専用物理制御チャネル）を通じて前記パイロット信号を受信するように構成される、
請求項１７に記載のワイヤレス通信装置。
【請求項１９】
前記プロセッサは、Ｆ−ＤＰＣＨ（フラクショナル専用物理チャネル）上で前記ＴＰＣコマンドビットを送信するようにさらに構成される、
請求項１２に記載のワイヤレス通信装置。
【請求項２０】
前記プロセッサは、チャネル測定値の選択まで前記メモリ内に、前記第１のスロットに対応する前記チャネル測定値または前記第２のスロットに対応する前記チャネル測定値のうちの少なくとも１つを記憶するよう命令するようさらに構成される、
請求項１２に記載の請求項１０のワイヤレス通信装置。
【請求項２１】
ワイヤレス通信システムで動作可能な装置であって、前記装置は、
関連するＲＬＳ（無線リンクセット）サイズおよびＴＰＣ（送信機電力制御）ビットタイミングオフセットを判断するための手段と、
選択されたスロット上でチャネル測定を実行するための手段と、
チャネル測定が実行されるスロットまたはチャネル測定が実行される前記スロットに続くスロットのうちの１つに対応するＴＰＣコマンドビットを前記チャネル測定と関連付け、それによってＴＰＣコマンドビット関連付けの遅延を制御するための手段と、
を備える装置。
【請求項２２】
チャネル測定が前記ＲＬＳサイズおよび前記ＴＰＣビットタイミングオフセットに基づいて実行されることになるスロットを選択するための手段、をさらに備える請求項２１に記載の装置。
【請求項２３】
前記選択するための手段は、前記ＲＬＳサイズが１より大きく前記ＴＰＣビットタイミングオフセットが前記ＴＰＣコマンドビットと関連する前記スロットと関連するＴＰＣ結合ウィンドウと前記ＴＰＣコマンドビットと関連する前記スロットの境界との間のオフセットより小さい場合、前記ＴＰＣコマンドビットに対応する前記スロットに先行するスロットを選択し、さもなければ前記ＴＰＣコマンドビットに対応する前記スロットを選択するための手段を備える、
請求項２２に記載の装置。
【請求項２４】
前記選択するための手段は、前記ＴＰＣビットタイミングオフセットがゼロのオフセットまたは１ビットオフセットに対応する場合、前記ＴＰＣコマンドビットに対応する前記スロットに先行するスロットを選択するための手段をさらに備える、
請求項２３に記載の装置。
【請求項２５】
前記チャネル測定を実行するための手段は、それぞれ前記選択したスロット上でＳＩＲ（信号対干渉比）測定を実行するための手段を備える、
請求項２１に記載の装置。
【請求項２６】
前記チャネル測定を実行するための手段は、
端末からパイロット信号を受信するための手段と、
前記パイロット信号の品質を測定するための手段と、
を備える、請求項２１に記載の装置。
【請求項２７】
前記パイロット信号を受信するための手段は、ＤＰＣＣＨ（専用物理制御チャネル）を通じて前記パイロット信号を受信するための手段を備える、
請求項２６に記載の装置。
【請求項２８】
Ｆ−ＤＰＣＨ（フラクショナル専用物理チャネル）上で前記ＴＰＣコマンドビットを通信するための手段をさらに備える請求項２１に記載の装置。
【請求項２９】
コンピュータに、ＲＬＳ（無線リンクセット）サイズおよび電力制御コマンドタイミングオフセットを識別させるためのコードと、
コンピュータに、第１の無線フレームスロットおよび前記第１の無線フレームスロットの直後の第２の無線フレームスロットに対応するチャネル測定値を取得させるためのコードと、
コンピュータに、調整された時間において、前記識別した関連するＲＬＳと前記電力制御コマンドタイミングオフセットとに少なくとも部分的に基づいて電力制御コマンドインジケータを生成させるためのコードと、
を記憶するコンピュータプログラム、
を備えるコンピュータ可読媒体。
【請求項３０】
コンピュータに、前記ＲＬＳサイズおよび前記電力制御コマンドタイミングオフセットの関数として取得したチャネル測定値を選択させるためのコード、をさらに備える請求項２９に記載のコンピュータ可読媒体。
【請求項３１】
前記コンピュータに選択させるためのコードは、コンピュータに、前記関連するＲＬＳサイズが１より大きく、前記電力制御コマンドタイミングオフセットが前記第１の無線フレームスロットと関連する電力制御コマンド結合周期と前記第１の無線フレームスロットの境界との間の差より小さい場合、前記第１の無線フレームに対応する前記チャネル測定値を選択させるためのコードを備える、
請求項３０に記載のコンピュータ可読媒体。
【請求項３２】
前記電力制御コマンドオフセットが０ｂｐｇ（基本処理グループ）または１ｂｐｇである場合、前記コンピュータに選択させるためのコードは、コンピュータに、前記第１の無線フレームスロットに対応する前記チャネル測定値を選択させるためのコードを備える、
請求項３１に記載のコンピュータ可読媒体。
【請求項３３】
前記電力制御コマンドインジケータは、ＴＰＣ（送信機電力制御）コマンドビットを備える、
請求項２９に記載のコンピュータ可読媒体。
【請求項３４】
前記コンピュータに取得させるためのコードは、コンピュータに、前記第１の無線フレームスロットおよび前記第２の無線フレームスロットに対応するＳＩＲ（信号対干渉比）測定値を取得させるためのコードを備える、
請求項２９に記載のコンピュータ可読媒体。
【請求項３５】
前記コンピュータに取得させるためのコードは、
コンピュータに、前記第１の無線フレームスロットおよび前記第２の無線フレームスロットでＵＥ（ユーザ装置ユニット）からパイロット信号を受信させるためのコードと、
コンピュータに、前記パイロット信号の品質を測定させるためのコードと、
を備える、請求項２９に記載のコンピュータ可読媒体。
【請求項３６】
前記コンピュータにパイロット信号を受信させるためのコードは、ＤＰＣＣＨ（専用物理制御チャネル）を通じて前記ＵＥからパイロット信号を受信させるためのコードを備える、
請求項３５に記載のコンピュータ可読媒体。
【請求項３７】
前記コンピュータ可読媒体は、コンピュータに、Ｆ−ＤＰＣＨ（フラクショナル専用物理チャネル）上で前記電力制御コマンドインジケータを送信させるためのコードをさらに備える、
請求項２９に記載のコンピュータ可読媒体。
【請求項３８】
前記コンピュータ可読媒体は、コンピュータに、チャネル測定値の選択まで、前記第１の無線フレームスロットに対応する前記チャネル測定値または前記第２の無線フレームスロットに対応する前記チャネル測定値のうちのすくなくとも１つをバッファさせるためのコードをさらに備える、
請求項２９に記載のコンピュータ可読媒体。
【発明の詳細な説明】
【関連出願】
【０００１】
本出願は、参照により本明細書に組み込まれる、２００８年８月１８日に出願された「UE BEHAVIOR WHEN COMBINING EF-DPCH TPC COMMANDS RECEIVED IN DIFFERENT TIME SLOTS FROM THE SAME RLS」と題する米国仮特許出願第６１／０８９，７７０号の利益を主張する。
【技術分野】
【０００２】
本開示は、一般にワイヤレス通信に関し、より明確にはワイヤレス通信環境中の電力制御のための技法に関する。
【背景技術】
【０００３】
ワイヤレス通信システムは、さまざまな通信サービスを提供するために幅広く展開され、たとえば、音声サービス、ビデオサービス、パケットデータサービス、ブロードキャストサービス、およびメッセージングサービスを、そのようなワイヤレス通信システムを介して提供することができる。これらのシステムは、使用可能なシステムリソースを共用することによって複数の端末のための通信をサポートできる多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
一般に、ワイヤレス多元接続通信システムは、複数のワイヤレス端末に関する通信を同時にサポートすることができる。そのようなシステムでは、各端末は、順方向リンクおよび逆方向リンク上での送信を介して１つまたは複数の基地局と通信することができる。順方向リンク（またはダウンリンク）は、基地局から端末への通信リンクを指し、逆方向リンク（またはアップリンク）は、端末から基地局への通信リンクを指す。この通信リンクを、ＳＩＳＯ（単一入力単一出力）システム、ＭＩＳＯ（多入力単一出力）システム、またはＭＩＭＯ（多入力多出力）システムを介して確立することができる。
【０００５】
ワイヤレス通信システム内で、ＵＥ（ユーザ装置ユニット）およびＵＭＴＳ（ユニバーサルモバイルテレコミュニケーションシステム）ＵＴＲＡＮ（テレストリアル無線アクセスネットワーク）基地局は、チャネル伝搬パスロスおよびフェージングの影響、ワイヤレス通信システム内の干渉、および／または他の目的のために緩和する１つまたは複数の電力制御手順を行うことができる。例えば、ＳＨＯ（ソフトハンドオーバ）操作および／または別の適切なネットワークシナリオの間に、電力制御は、ＴＰＣ（送信機電力制御）コマンドの使用および処理を通じて行うことができる。ＴＰＣは、それぞれのＵＥおよび／または基地局によって実行されるチャネル測定に基づいて生成することができる。
【０００６】
１つの例において、ＳＨＯオペレーションを経験するＵＥは、それぞれの異種の基地局で確立された複数の無線リンクを有することができる。そのような基地局は、アクティブＲＬＳ（無線リンクセット）の一部分になり、時間の１つまたは複数の所定のスロット内のＵＥにそれぞれＴＰＣコマンドビットを提出することができる。受信の後で、ＵＥは、最終のＴＰＣコマンドを決定するためにＴＰＣコマンドビットを組み合わせることができる。しかしながら、ネットワーク伝播遅延、および／または他の要因によって、ＵＥによって利用される結合ウィンドウは、ある場合には、ＴＰＣコマンド送信のためにアクティブＲＬＳ（無線リンクセット）中でそれぞれの無線リンクに関連したスロット境界で正しく調節されない（misaligned）。その結果、ＴＰＣコマンドビットがスロット境界近くで生成され送信される場合、ＵＥは、ある場合には、異なるスロット中で送信されたＴＰＣコマンドビットを結合するよう試みる。異なる極性を使用する異なるスロット中でＴＰＣコマンドビットを送信することができるように、反対の極性でＴＰＣコマンドビットの試みられた結合は、次にはＵＥでの電力制御性能を低減することにつながるおよび／またはシステム性能上で他のネガティブな影響を与える。
【０００７】
少なくとも上記を考慮して、ワイヤレス通信システム中の電力制御コマンドを処理するための改善された技法をインプリメントすることが望ましい。
【発明の概要】
【０００８】
以下で、請求される主題のさまざまな態様の基本的な理解を提供するために、そのような態様の単純化された要約を提示するものである。この要約は、すべての企図された態様の広範囲の概要ではなく、そのような態様の主要な要素またはクリティカルな要素を識別することも、そのような態様の範囲を区切ることも意図されてはいない。その唯一の目的は、後で提示される、より詳細な説明の前置きとして、開示される態様のいくつかの概念を単純化された形で提示することである。
【０００９】
一態様によれば、ここに方法が記述される。方法は、無線フレーム内の第１のスロット、および無線フレーム内の第１のスロットに続く第２のスロットに対応するチャネル測定値を取得することと、関連するＲＬＳ（無線リンクセット）のサイズおよび電力制御コマンド情報タイミングオフセットに関してパラメータを識別することと、識別されたパラメータの関数として第１のスロットに対応するチャネル測定値または第２のスロットに対応するチャネル測定値を選択することと、選択されたチャネル測定値に基づいて無線フレーム内の第２のスロットで電力制御コマンド情報を生成することと、を備える。
【００１０】
第２の態様は、ワイヤレス通信装置に関連するＲＬＳサイズおよび送信機電力制御（ＴＰＣ）タイミングオフセットパラメータに関するデータを格納するメモリを備える、ワイヤレス通信装置に関する。ワイヤレス通信装置は、無線フレーム内の第１のスロットおよび無線フレーム内の第１のスロットに続く第２のスロットに対応するチャネル測定値を取得し、ＲＬＳサイズおよびＴＰＣタイミングオフセットパラメータに基づいて取得されたチャネル測定値からチャネル測定値を選択し、選択されたチャネル測定値に基づいてＴＰＣコマンドビットを生成する、ように構成されたプロセッサをさらに備える。
【００１１】
ここに記述された第３の態様は、ワイヤレス通信システムで操作可能な装置に関する。装置は、関連するＲＬＳサイズおよびＴＰＣビットオフセットを決定するための手段と、チャネル測定値がＲＬＳサイズおよびＴＰＣビットタイミングオフセットに基づいて実行されることになるスロットを選択するための手段と、選択されたスロット上でチャネル測定値を実行するための手段と、チャネル測定値と、チャネル測定値が実行されるスロットまたはチャネル測定値が実行されるスロットに続くスロットのうちの１つに対応するＴＰＣコマンドビットを関連するための手段と、を備えることができる。
【００１２】
ここに記述された第４の態様は、コンピュータに、ＲＬＳサイズおよび電力制御コマンドオフセットを識別させるためのコードと、コンピュータに、第１の無線フレームスロット、および第１の無線フレームスロットの直後の第２の無線フレームスロットに対応するチャネル測定値を取得させるためのコードと、コンピュータに、ＲＬＳサイズおよび電力制御コマンド情報タイミングオフセットの関数として取得されたチャネル測定値を選択させるためのコードと、コンピュータに、選択されたチャネル測定値を使用して第２の無線フレームスロットで電力制御コマンドインジケータを生成させるためのコードと、を備えるコンピュータ可読媒体を含むことができるコンピュータプログラム製品に関する。
【００１３】
第５の態様は、ワイヤレス通信システムで操作可能な方法に関する。方法は、関連するＲＬＳの内の無線リンクの数を識別することと、ＴＰＣコマンドビットの送信に関連するタイミングオフセットパラメータを識別することと、所与の無線フレームスロットでＵＥ（ユーザ装置ユニット）から取得した１つまたは複数のパイロットシンボルからＳＩＲ（信号対干渉比）を取得することと、ＲＬＳが２つまたはそれ以上の無線リンクを含み、０−ｂｐｇ（基本処理グループ：basic processing group）ＴＰＣオフセットまたは１−ｂｐｇ  ＴＰＣオフセットを示すことを決定した後で取得されるＳＩＲ測定値での無線フレームスロット直後の無線フレームスロットでのＳＩＲ測定値を使用してＴＰＣコマンドビットを生成することと、を備えることができる。
【００１４】
前述および関連する目的の達成に向けて、特許請求される主題の１つまたは複数の態様は、後で十分に説明され、特許請求の範囲で特に指摘される特徴を備える。次の説明および添付図面は、特許請求される主題のある種の例示的態様を詳細に示す。しかしながら、これらの態様は、特許請求される主題の原理を使用できるさまざまな形のうちの少数を示すのみである。さらに、開示される態様は、すべてのそのような態様およびその均等物を含むことが意図されている。
【図面の簡単な説明】
【００１５】
【図１】様々な態様に従うワイヤレス通信システム中の電力制御コマンド生成および処理を容易にするシステムのブロック図である。
【図２】ここに記述された様々な態様に従って利用することができる例示のチャネルフォーマットを説明する。
【図３】チャネル測定値および送信機電力制御コマンド生成のための例示の技法を説明するタイミング図である。
【図４】ワイヤレス通信システム中の１つまたは複数のデバイスによって利用することができる送信機電力制御結合のための例示の技法を説明する。
【図５】様々な態様に従う電力制御コマンドビット生成のためのチャネル測定値の生成および選択を容易にするシステムのブロック図である。
【図６】様々な態様に従う送信機電力制御コマンドビット処理のための例示の技法を説明するタイミング図である。
【図７】ワイヤレス通信環境中の送信機電力制御ビットの生成および処理を容易にするそれぞれの方法のフローチャート図である。
【図８】ワイヤレス通信環境中の送信機電力制御ビットの生成および処理を容易にするそれぞれの方法のフローチャート図である。
【図９】ワイヤレス通信システム内の電力制御操作を容易にする装置のブロック図である。
【図１０】ここに記述された機能性の様々な態様をインプリメントするために利用することができるそれぞれのワイヤレス通信デバイスのブロック図である。
【図１１】ここに記述された機能性の様々な態様をインプリメントするために利用することができるそれぞれのワイヤレス通信デバイスのブロック図である。
【図１２】ここに述べられた様々な態様に従うワイヤレス多元接続通信システムを説明する。
【図１３】ここに記述された様々な態様が機能することができる例示のワイヤレス通信システムを説明するブロック図である。
【発明を実施するための形態】
【００１６】
特許請求される主題のさまざまな態様を、これから図面を参照して説明するが、図面では、類似する符号が、終始、類似するエレメントを参照するのに使用される。次の説明では、説明において、１つまたは複数の態様の完全な理解を提供するために多数の特定の詳細を示す。しかしながら、そのような態様（１つまたは複数）を、これらの特定の詳細なしで実践できることは明白であろう。他の場合には、１つまたは複数の態様の記述を容易にするために、周知の構造およびデバイスをブロック図形式で示す。
【００１７】
本願で使用される時に、用語「コンポーネント」、「モジュール」、「システム」などは、ハードウェア、ファームウェア、ハードウェアおよびソフトウェアの組み合わせ、ソフトウェア、または実行中のソフトウェアのいずれであれ、コンピュータ関連のエンティティを指すことができる。たとえば、コンポーネントを、プロセッサ上で動作するプロセス、集積回路、オブジェクト、実行可能ファイル、実行のスレッド、プログラム、および／またはコンピュータとすることができるが、これらに限定はされない。たとえば、コンピューティングデバイスで動作するアプリケーションとそのコンピューティングデバイスとの両方を、コンポーネントとすることができる。１つまたは複数のコンポーネントが、１つのプロセスおよび／または実行のスレッド内に存在することができ、１つのコンポーネントを、１つのコンピュータ上に局所化し、かつ／または複数のコンピュータの間で分散させることができる。さらに、これらのコンポーネントを、その上にさまざまなデータ構造を格納されたさまざまなコンピュータ可読媒体から実行することができる。コンポーネントは、１つまたは複数のデータパケットを有する信号（たとえば、信号によって、ローカルシステム内、分散システム内、および／または他のシステムとのインターネットなどのネットワークにまたがる別のコンポーネントと相互作用するあるコンポーネントからのデータ）によるなど、ローカルプロセスおよび／またはリモートプロセスによって通信することができる。
【００１８】
さらに、さまざまな態様を、本明細書でワイヤレス端末および／または基地局に関連して説明する。ワイヤレス端末は、音声接続性および／またはデータ接続性をユーザに提供するデバイスを指すことができる。ワイヤレス端末を、ラップトップコンピュータまたはデスクトップコンピュータなどのコンピューティングデバイスに接続することができ、あるいは、ワイヤレス端末を、ＰＤＡ（携帯情報端末）などの内臓型デバイスとすることができる。ワイヤレス端末を、システム、加入者ユニット、加入者ステーション、移動局、移動体、遠隔ステーション、アクセスポイント、遠隔端末、アクセス端末、ユーザ端末、ユーザエージェント、ユーザデバイス、またはＵＥユーザ装置）と呼ぶこともできる。ワイヤレス端末を、加入者ステーション、ワイヤレスデバイス、セル電話、ＰＣＳ電話、コードレス電話、ＳＩＰ（セッション開始プロトコル）電話、ＷＬＬ（wireless local loop）ステーション、ＰＤＡ（携帯情報端末）、ワイヤレス接続機能を有するハンドヘルドデバイス、またはワイヤレスモデムに接続された他の処理デバイスとすることができる。基地局（たとえば、アクセスポイントまたはノードＢ）は、エアインターフェースを介し、１つまたは複数のセクタを介してワイヤレス端末と通信する、アクセスネットワーク内のデバイスを指すことができる。基地局は、受信されたエアインターフェースフレームをＩＰ（インターネットプロトコル）パケットに変換することによって、ワイヤレス端末とＩＰネットワークを含むことができるアクセスネットワークの残りとの間のルータとして働くことができる。基地局は、エアインターフェースに関する属性の管理をも調整する。
【００１９】
さらに、本明細書で説明されるさまざまな機能を、ハードウェア、ソフトウェア、ファームウェア、またはその任意の組み合わせでインプリメントすることができる。ソフトウェアで実施される場合に、機能を、コンピュータ可読媒体上の１つまたは複数の命令またはコードとして格納し、あるいは送信することができる。コンピュータ可読媒体は、コンピュータ記憶媒体と、ある場所から別の場所へのコンピュータプログラムの転送を容易にするすべての媒体を含む通信媒体との両方を含む。記憶媒体は、コンピュータによってアクセスできるすべての使用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク（ｄｉｓｋ）ストレージ、磁気ディスク（ｄｉｓｋ）ストレージもしくは他の磁気ストレージデバイス、または命令もしくはデータ構造の形で所望のプログラムコードを担持しまたは格納するのに使用でき、コンピュータによってアクセスできる任意の他の媒体を備えることができる。また、すべての接続は、当然、コンピュータ可読媒体と呼ばれる。たとえば、ソフトウェアが、ウェブサイト、サーバ、または他の遠隔ソースから同軸ケーブル、光ファイバケーブル、より対線、デジタル加入者回線（ＤＳＬ）、または赤外線、無線波、およびマイクロ波などのワイヤレス技術を使用して送信される場合に、同軸ケーブル、光ファイバケーブル、より対線、ＤＳＬ、または赤外線、無線波、およびマイクロ波などのワイヤレス技術は、媒体の定義に含まれる。ディスク（ｄｉｓｋ）およびディスク（ｄｉｓｃ）は、本明細書で使用される時に、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイディスク（ｄｉｓｃ）（ＢＤ）を含み、ｄｉｓｋは、通常はデータを磁気的に再生し、ｄｉｓｃは、レーザを用いてデータを光学的に再生する。上記の組み合わせも、コンピュータ可読媒体の範囲に含まれなければならない。
【００２０】
本明細書で説明されるさまざまな技法を、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、ＳＣ−ＦＤＭＡ（Single Carrier FDMA）システム、および他のそのようなシステムなどのさまざまなワイヤレス通信システムに使用することができる。用語「システム」および「ネットワーク」は、本明細書ではしばしば交換可能に使用される。符号分割多元接続システムは、ＵＴＲＡ（Universal Terrestrial Radio Access）、ＣＤＭＡ２０００、その他などの無線技術を実施することができる。ＵＴＲＡは、Ｗ−ＣＤＭＡ（Wideband-CDMA）および符号分割多元接続の他の変形を含む。さらに、ＣＤＭＡ２０００は、ＩＳ−２０００標準規格、ＩＳ−９５標準規格、およびＩＳ−８５６標準規格を包含する。ＴＤＭＡシステムは、ＧＳＭ（登録商標）（Global System for Mobile Communications）などの無線技術をインプリメントすることができる。ＯＦＤＭＡシステムは、Ｅ−ＵＴＲＡ（Evolved UTRA）、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）その他などのワイヤレス技術をインプリメントすることができる。ＵＴＲＡおよびＥ−ＵＴＲＡは、ＵＭＴＳ（Universal Mobile Telecommunication System）の一部である。３ＧＰＰ  ＬＴＥ（Long Term Evolution）は、Ｅ−ＵＴＲＡを使用する、やがて現れるリリースであり、Ｅ−ＵＴＲＡは、ダウンリンクで直交周波数分割多元接続、アップリンクでＳＣ−ＦＤＭＡを使用する。ＧＳＭ、ＵＴＲＡ、Ｅ−ＵＴＲＡ、ＵＭＴＳ、およびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。
【００２１】
さまざまな態様を、複数のデバイス、コンポーネント、モジュールなどを含むことができるシステムに関して提示する。これらのさまざまなシステムが、追加のデバイス、コンポーネント、モジュールなどを含むことができ、かつ／または図面に関連して述べられるデバイス、コンポーネント、モジュールなどのすべては含まない場合があることを理解し認識（understood and appreciated）されたい。これらの手法の組み合わせを使用することもできる。
【００２２】
次に図面を参照して、図１は、ここに記述された様々な態様に従うワイヤレス通信システム中の電力制御コマンド生成および処理を容易にするシステム１００を説明する。図１が説明するように、システム１００は、同様に、１つまたは複数の基地局１１０および／または１２０を含む、ＵＴＲＡＮ１０２を含むことができる。基地局１１０および／または１２０は、ＡＰ（アクセスポイント）、ノードＢ、進化型ノードＢ（ｅＮＢｓ）、無線ネットワークコントローラ（ＲＮＣ）のようなシステム・コントローラ、またはそれらと同様のものの機能性であることができる、および／または組み込むことができる。図１によってさらに例証されるように、ＵＴＲＡＮ１０２中のエンティティは、１つまたは複数のＵＥ１３０（例えばモバイル端末、加入者局、ユーザなど）と交信することができる。１つの例において、ＵＴＲＡＮ１０２中のエンティティは、ＵＥ  １３０との１つまたは複数のダウンリンク（ＤＬ、フォワードリンク（ＦＬ）とも称される）通信を行い、ＵＥ１３０は、ＵＴＲＡＮ  １０２中の基地局１１０および／または１２０あるいは他のエンティティとの１つまたは複数のアップリンク（ＵＬ、リバースリンク（ＲＬ）とも称される）通信を行うことができる。
【００２３】
１つの態様に従って、ＵＴＲＡＮ１０２および／またはＵＥ１３０中の基地局１１０および／または１２０は、システム１００内の様々な送信を行うことができる。しかしながら、ネットワークデバイス間の接近、チャネル特性、パスロス、フェージング、および／または、他の要因によって、システム１００内の所与のデバイスからの送信は、それぞれの送信の意図した受信者ではないシステム１００の他のデバイスへの干渉を引き起こすことがある。従って、システム１００内の干渉の影響を緩和するために、１つまたは複数の基地局１１０−１２０および／またＵＥ１３０は、様々な電力制御手順を実行することができる。電力制御手順は、システムスループットを最大限にしながら干渉の影響を最小限にするためにシステム１００での様々なエンティティによって利用される送信電力の量を調節するために利用することができる。
【００２４】
別の態様に従って、電力制御手順は、ＵＴＲＡＮ  １０２中のそれぞれのセルに対応する基地局１１０と１２０との間のＵＥ１３０のハンドオーバ上でシステム１００内にインプリメントすることができる。１つの例において、電力制御手順は、ＵＥ１３０がＵＴＲＡＮ１０２中のそれぞれの基地局１１０および／または１２０で複数の無線リンクを、同時に、維持することができる、ＳＨＯ（ソフトハンドオーバ）の場合、またはそれぞれの無線リンクが共通の基地局１１０または１２０のＵＥと異なるセルセクタとの間で確立される、ソフターハンドオーバに対して調整することができる。例えば、ハンドオーバの時に、それぞれの基地局１１０および／または１２０での無線リンク測定モジュール１１２および／または１２２は、対応する基地局１１０および／または１２０（またはそれとともに関連する１つまたは複数のセルセクタ）とＵＥ１３０との間の無線リンクまたは無線チャネルの品質に関する１つまたは複数の測定値を取得するために利用することができる。そのような測定値は、例えば、ＳＩＲ（信号対干渉比）、ＳＩＮＲ（信号対干渉プラス雑音比）、および／または他の適切な測定値を含むことができる。
【００２５】
無線リンク測定モジュール１１２および／または１１４から取得したそれぞれの測定値に基づいて、ＴＰＣ（送信機電力制御）コマンド生成器１１４および／または１２４は、ＵＥ１３４０の送信電力レベルを調節のためにＵＥ１３０が利用する電力制御コマンドおよび／またはその一部を構成するために利用することができる。１つの例では、ＴＰＣコマンド生成器１１４および／または１２４が構成した電力制御コマンドは、ＴＰＣコマンドビットであることができる。ＴＰＣコマンドビットは、ＵＥ１３０の送信電力の増加または送信電力の減少が関連するチャネル品質測定値に基づいて望まれるか否かを示すことができる。追加として、ＵＴＲＡＮ１０２中のＵＥ１３０のためのアクティブＲＬＳ（無線リンクセット）および／またはＵＥ１３０に対応する１つまたは複数の他の関連するＲＬＳが、複数の無線リンクリンクを包含する場合、ＲＬＳに対応する基地局１１０および／または１２０に関連するそれぞれのセルセクタは、ＵＥ  １３０にそれぞれのＴＰＣビットを送信することができる。ＵＥ１３０は、次に、各ＲＬＳのための最終ＴＰＣコマンドへＴＰＣビットを結合させるためにＴＰＣ結合モジュール１３２を利用する。続いて、ＴＰＣコマンドは、ＵＥ１３０への適切な送信電力調節を容易にするために電力制御モジュール１３４によって利用されることができる。
【００２６】
以上に記述された様々な態様に従って、ＵＴＲＡＮ１０２中の１つまたは複数の基地局１１０および／または１２０は、ＵＥ１３０でアップリンク電力制御のために利用することができるＴＰＣコマンドビットを生成することができる。同様に、図１に示されていないが１つまたは複数のＵＥ１３０は、それぞれのＵＥ１３０のアクティブセット中のＵＴＲＡＮ  １０２中のそれぞれの基地局１１０および／または１２０あるいは他のエンティティのためのそれぞれのアップリンクスロットで１つまたは複数のダウンリンクＴＰＣコマンドを生成することができる。それは、ＵＴＲＡＮ１０２中のそれぞれのエンティティによって処理することができ、それに応じて関連するダウンリンク送信電力パラメータを調節するために利用することができる。
【００２７】
さらなる態様に従って、基地局１１０−１２０および／またはＵＥ１３０は、システム内のＴＰＣコマンド情報および／または任意の他の適切な情報を伝達するために任意の適切なチャネルフォーマットを利用することができる。特定の例示として、図２のブロック図２００によって説明されるように、ＥＦ−ＤＰＣＨ（進化型フラクショナル専用物理チャネル：Enhanced Fractional Dedicated Physical Channelまたは進化型Ｆ−ＤＰＣＨ）フォーマットを利用することができる。ブロック図２００が説明するように、ＥＦ−ＤＰＣＨチャネルフォーマットは、１０ｍｓの長さＴｆおよび／または任意の他の適切な長さを有する無線フレームを利用し、一定または不定の長さの１つまたは複数（例えば１４）のスロットに分割することができる。ブロック図２００によって説明される例において、スロットは、２５６０チップからなる長さＴslotを有する；しかしながら、Ｔslotは、任意の適切な長さであり得ることが理解することができる。
【００２８】
ブロック図２００でさらに説明されるように、それぞれのスロットは、オフセットパラメータＮOFF1およびＮOFF2によって定義される１つまたは複数の部分でＴＰＣビットを搬送するように構成することができる。１つの例において、複数のＥＦ−ＤＰＣＨスロットフォーマットは、スロット内のＴＰＣビットの位置を変えるために利用することができる。例えば、１０スロットフォーマットは、０と９との間の整数ビット位置（integral bit position）ｋのようなものを利用することができる。ここで、ｋ番目のスロットフォーマットは、（２ｋ＋２）のオフセットOFF1  ｍｏｄ  ２０ビットにマップすることができる。複数のスロットフォーマットは、例えば、ＣＥＬＬ＿ＤＣＨ状態の大量のユーザを包含するシステムに対してコード利用を高めるために利用することができる。１つの例において、所与の無線リンクのために利用されるスロットフォーマットは、ＲＲＣ（無線リソース制御）層および／または別の適切な層によってシグナルされることができる。例えば、ＲＲＣ情報エレメントは、関連する無線リンクのためのスロットフォーマットにシグナルするために利用することができる。
【００２９】
１つの例で、図２００によって説明されるようにチャネルフォーマットおよび／または別の適切なフォーマットに基づいて、ＴＰＣコマンドビットを、図３のブロック図３００によって説明されるように生成し送信することができる。ブロック図３００が説明するように、ＴＰＣコマンド情報を、ダウンリンクＦ−ＤＰＣＨおよびアップリンクＤＰＣＣＨ（専用物理制御チャネル：Dedicated Physical Control Channel）を介してアップリンクとダウンリンク上でＵＥとＵＴＲＡＮとの間で送信することができる。しかしながら、任意の適切なチャネルあるいはチャネルのセットをも利用することができることは認識されるべきである。
【００３０】
１つの態様に従って、アップリンクＤＰＣＣＨは、情報を、それぞれのスロット中のＵＴＲＡＮに通信するようなＵＥで構築することができる。それぞれのスロットは、例えば、１つまたは複数のパイロットシンボル、トランスポートフォーマット結合インジケータ（ＴＦＣＩ）、ＴＰＣコマンド情報、などを含むことができる。ブロック図３００によって説明された１つの例において、ＴＰＣ情報は、ＵＴＲＡＮから取得したＴＰＣ情報上で実行されるそれぞれのダウンリンクＳＩＲ測定値に基づいてＵＥによって生成されることができる。別の例において、ＵＥからＵＴＲＡＮへの伝播遅延に続いて、アップリンクＤＰＣＣＨ上でＵＥによって送信された情報は、ＵＴＲＡＮで受信する。
【００３１】
ブロック図３００によって説明される別の態様に従って、ＵＴＲＡＮは、アップリンクＤＰＣＣＨに関して記述された方法と似た方法でＵＥにＴＰＣビットを伝えるためにダウンリンクＦ−ＤＰＣＨを利用することができる。例えば、ＴＰＣビットを、τ０で図３００にマークされる、所与のスロットの始めからＮOFF1のオフセットでＵＴＲＡＮエンティティが生成し送信することができる。ＴＰＣビットは、例えば、アップリンク上のＵＥから受信した１つまたは複数のパイロットシンボルに関連したアップリンクＳＩＲ測定値に基づいてＵＴＲＡＮエンティティによって生成されることができる。ブロック図３００によって説明される例において、ＴＰＣビットは、対応するＳＩＲ測定値の直後のスロットおよびＮOFF1および／または他の適切なパラメータに基づいたスロット内の位置でＵＴＲＡＮエンティティによって生成されることができる。続いて、ＵＴＲＡＮによって生成され送信されたＴＰＣビットは、ダウンリンクＦ−ＤＰＣＨを通じて伝播遅延τｐ続いてＵＥで受信することができる。
【００３２】
次に図４に移って、ブロック図４００は、ワイヤレス通信システム中で１つまたは複数のデバイス（例えばＵＥ）によって用いることができるＴＰＣコマンド結合の例を説明するために提供される。１つの例において、ブロック図４００は、少なくとも１つの無線リンクセット（例えば、ＲＬＳ１およびＲＬＳ２）が複数の無線リンクに関連するような１つまたは複数の無線リンクセットに対応する複数の無線リンクをＵＥが同時に観測する、ＳＨＯシナリオを説明する。ブロック図４００に示されるような特定の例示の目的で、それぞれ３ＲＬＳに対応する、６つの無線リンクが観測される。特に、（受信機基準セルに対応する）無線リンク１および無線リンク２−３は、第１のＲＬＳに対応し、無線リンク４−５は、第２のＲＬＳに対応し、無線リンク６は、個別に第３のＲＬＳに対応する。
【００３３】
１つの態様に従って、ＤＬ無線リンクおよびＵＬ  ＤＰＣＣＨフレームに関連するＦ−ＤＰＣＨフレームは、それぞれ長さ１０ｂｐｇ（基本処理グループ：basic processing groups）および／または他の適切な長さになるスロットに分割することができる。特定の例示のために、ｂｐｇは、スロットが全長２５６０チップであるような長さの２５６チップとなることができる。別の例において、複数のビットは、インプリメントされた変調スキームに基づいて所与のｂｐｇ上で送信することができる。したがって、特定の限定をしない例示として、循環ＢＰＳＫ（２相位相変調）あるいはＱＰＳＫ（４相位相変調）変調スキームは、所与のｂｐｇが２つのビット（例えば、同相（Ｉ）ビットおよび直交（Ｑ）ビット）を伝えるように利用することができる。それぞれのＵＬスロット境界は、点線を使用してブロック図４００に説明される。
【００３４】
１つの例において、ＤＬＦ−ＤＰＣＨフレームおよびＵＬ  ＤＰＣＣＨフレームは、所定の方法の時間で同期することができる。したがって、例えば、ＵＬスロット境界は、無線リンク１に対応する基準セルのＤＬスロット境界の後の１０２４チップで生じるように構成することができる。追加または代替として、それぞれのＤＬ無線リンクは、基準セルの所定の許容誤差（例えば、＋／−１４８チップ）内でフレームを調整することができる。１つの例において、関連するネットワークは、それぞれの無線リンクをアラインし、対応するＣＰＩＣＨからのそれぞれのオフセットをシグナリングするために応答可能である。例えば、１バイトのパラメータは、２５６チップ精度で所与の無線リンクのオフセットをシグナリングするように利用することができる。ここで、オフセットτFDPCHは、０≦τFDPCH≦１４９チップで与えられる。
【００３５】
別の態様に従って、ＲＬＳは、複数の無線リンクを含む場合、それぞれの無線リンクに対応するＴＰＣコマンド情報を受信するＵＥおよび／または、別のエンティティは、各ＲＬＳのための単一の最終ＴＰＣコマンドを取得するためにそれぞれの無線リンクからＴＰＣコマンドに関連する情報を結合することができる。したがって、図４によって説明された例において、３つのＴＰＣコマンドは、ブロック図４００に表わされる３つのＲＬＳにそれぞれ対応する、結合エンティティによって取得することができる。１つの例において、ＴＰＣコマンドは、（例えば、ＤＰＣＣＨパイロットエネルギーに対応する）アップリンク上で生成される結合された単一のコマンドを導出するために基準周期として利用される、あらかじめ指定された結合周期内で結合することができる。結合周期は、長さ１スロットおよび／または他の適切な長さとすることができる。さらに、結合周期は、受信機基準セルのＤＬスロット境界の後の所定のインターバル（例えば、５１２チップ）で開始するようなオフセットとすることができる。ブロック図４００に説明されるように、ＴＰＣ結合周期は、実線を使用して示される。
【００３６】
１つの例において、所与のＲＬＳ中のそれぞれの無線リンクに対応するセルおよび／またはセルセクタは、様々な要因に基づいてスロット内のそれぞれの所定の位置でＴＰＣコマンドビットを提供することができる。追加または代替として、ＴＰＣコマンド情報は、結合エンティティでそれぞれの情報の適切な受信を容易にするために変更するオフセットでそれぞれのセルおよび／またはセルセクタによって提供されることができる。さらに、異なるコマンドは、異なるスロットでの所与のセルセクタによって提供されることができる。例えば、それぞれのスロットに関連したコマンドは、異なるパターンでブロック図４００に表示される。
【００３７】
ブロック図４００から観察できるように、１つまたは複数のセルまたはセルセクタから受信したＴＰＣコマンド情報を結合するエンティティは、ネットワーク基準セルのＤＬフレーム構造からの境界で異なるＴＰＣ結合周期を利用することができる。従って、ＲＬＳが複数の無線リンクを有し、それによってＴＰＣコマンド情報の結合を要求するために、所与のスロットで生成されるＴＰＣコマンド情報が、ある場合に、コマンド情報のオフセットＮOFF1によってスロットのためのＴＰＣ結合ウィンドウの外側になってしまうことを理解することができる。例えば、ブロック図４００に説明されるように、所与の無線リンクのためのＴＰＣ情報がスロットのためのＴＰＣ結合ウィンドウの前に来るスロット内のｂｐｇで（例えば、０または２のＮOFF1パラメータに対応する第１または第２のｂｐｇで）生成される場合、直前のスロットに関連する結合ウィンドウ内で結合されることになる。その結果、所与のスロット内でオフセット位置に依存して、結合エンティティは、ある場合に、複数のスロットに対応するＴＰＣコマンド情報を結合するよう試みることができる。これは無線リンク１に関してブロック図４００に観察することができる。無線リンク１は、結合が本質的に異なるスロットのための無線リンク１−３によって生成されたＴＰＣコマンドビットのために実行されるような（例えば、２のＮOFF1パラメータに対応する）１ｂｐｇのオフセットを利用する。ビット極性、コマンド値、および／または他のシステムパラメータがスロット間で変更する場合、結合効率、復号性能、電力制御性能、ネットワークスループット、などの損失が生じることを認識することができる。
【００３８】
それ故、１つの態様に従って、異なるスロットに対応するＴＰＣコマンド情報の結合を防ぎ、ビット極性および／またはコマンド値の変更上のそのように結合に関連するシステム効率損失を軽減するために、ＴＰＣコマンド情報を作成するノードＢ５０２および／または別のエンティティは、図５のシステム５００によって示されるようなＴＰＣコマンドビットのインテリジェントタイミングおよび生成のための１つまたは複数の技法を利用することができる。システム５００が説明するように、ワイヤレス通信システムで操作可能なノードＢ５０２は、ノードＢに関連する無線リンクに関するＳＩＲ測定値および／または他のチャネル測定値を取得することができる、無線リンクチャネル測定モジュール５１０を利用することができる。無線リンクチャネル測定モジュール５１０によって取得した測定値は、関連するＴＰＣコマンドビットおよび／または他の電力制御コマンド情報を生成するためにＴＰＣコマンド生成器５４０によって続いて利用することができる。
【００３９】
１つの例において、無線リンクチャネル測定モジュール５１０およびＴＰＣコマンド生成器５４０は、図３のタイミング図３００と類似したスケジュールに従ってＳＩＲ測定および対応するＴＰＣビット生成を実行することができる。しかしながら、図４に関して以前注意したように、ＵＬスロット境界と関連するＴＰＣ結合ウィンドウとの差は、ある場合には異なるスロットに対応するＴＰＣ情報の結合を生じることになる。従って、電力制御性能の増加および混合スロットＴＰＣ結合の低減を容易にするために、ノードＢ５０２は、ＴＰＣコマンド情報のタイミングを規制するために測定値バッファ５２０およびＴＰＣコントローラ５３０を利用することができる。
【００４０】
１つの態様に従って、ＴＰＣ制御器５３０は、ノードＢに関連する無線リンクに対応するＲＬＳサイズ５３２、ノードＢ５０２によって利用されるＴＰＣオフセット５３４、および／またはＴＰＣコマンド生成のタイミングを制御するための他の適切なパラメータのような関連するシステムの１つまたは複数のパラメータを分析することができる。例示の目的で、関連するＲＬＳサイズ５３２およびＴＰＣコマンドオフセット５３４に基づいて、ＴＰＣコントローラ５３０は、無線リンクチャネル測定モジュール５１０によって行われたＳＩＲ測定値または測定値バッファ５２０によって提供されるバッファに格納された測定値に基づいてＴＰＣコマンド生成器を介してＴＰＣコマンドビットの生成を容易にすることができる。例えば、図４に説明されるように、ＲＬＳ中の別の無線リンクが２つより多く（例えば複数のｂｐｇ）のＴＰＣコマンドタイミングオフセットパラメータを有し、（例えば０または１ｂｐｇに対応する）１より大きなサイズおよび０または２のＴＰＣコマンドタイミングオフセットパラメータＮOFF1を有するＲＬＳ中の無線リンクは、関連する結合エンティティに本質的に異なるスロットに位置するＴＰＣコマンドビットから最終ＴＰＣコマンドを取得させることができる。しかしながら、ＴＰＣコントローラ５３０を利用することによって、１より大きなサイズを有するＲＬＳに属する無線リンクに対応し、わずか１つしかないｂｐｇのオフセットを有するＴＰＣコマンドビットは、１つのスロットのための測定値バッファ５２０によってバッファに格納されたＳＩＲ測定値から生成されることができる。その結果、次に来るスロットに対する関連ＴＰＣコマンドビットを遅延し、結合ウィンドウに対応するスロットに関連するＴＰＣコマンドビットのみの結合を容易にする。
【００４１】
したがって、図３のブロック図３００に説明されるように、ＵＬ  ＳＩＲ測定値のタイミングおよび関連するＴＰＣコマンドオフセット生成と対照的に、関連するＲＬＳサイズが１より大きく関連するＴＰＣコマンドオフセットが０または１ｂｐｇである場合に対してＵＬ  ＳＩＲ測定値およびＴＰＣコマンド生成は、図６のブロック図６００によって説明されるように行うことができる。図６で説明するように、ＵＬ  ＳＩＲ測定を行った後で、ＳＩＲ測定値に対応するＴＰＣビットは、例えば、ＴＰＣ生成に先立って１つのスロットの測定値をバッファすることによって、次のスロットで生成することができる。
【００４２】
１つの態様に従って、測定値バッファ５２０は、無線リンクチャネル測定モジュール５１０によって行われたチャネル測定結果をすべてバッファするために動作することができる。また代替として、バッファすることは、バッファがＴＰＣコントローラ５３０によって決定されるように望まれるＴＰＣコマンド情報のためにのみ選択的に実行することができる。別の態様に従って、ノードＢ５０２は、ここに説明されるように１つまたは複数のノードＢのエレメントの機能性として動作するおよび／またはインプリメントするためにプロセッサおよび／またはメモリ５５４を含む。
【００４３】
次に図７−８を参照して、ここに述べられた様々な態様に従って実行される方法が説明される。説明の簡潔さのために、方法は、一連の動作として示し説明する一方、方法は、ある動作が、１つまたは複数の態様に従って、ここに示され説明される他の動作と異なる順序および／または同時に起こるように、動作の順序によって限定されないことを理解し、認識（understood and appreciated）するべきである。例えば、当業者は、方法が、例えば状態図などの一連の相関する状態またはイベントとしての代替として表されることを理解し認識することになる。さらに、説明される行動の全てが１つまたは複数の態様に従って方法をインプリメントするように要求されるとは限られ得ない。
【００４４】
図７を参照して、ワイヤレス通信環境中の送信機電力制御ビットの生成および処理を容易にする方法７００が説明される。方法７００は、例えばノードＢ（例えば基地局１１０および／または１２０）および／または任意の他の適切なネットワークデバイスによって実行することができる。方法７００は、ブロック７０２で開始する。ここで、（ブロック図６００に示されるように）第１のスロットおよび第１のスロットに続く第２のスロットに対応するそれぞれのチャネル測定値を（例えば、無線リンク測定モジュール１１２および／または１２２または無線リンクチャネル測定モジュール５１０によって）取得する。次に、ブロック７０４で、ＲＬＳサイズ（例えば、ＲＬＳサイズ５３２）および電力制御コマンドビットオフセット（例えば、ＴＰＣコマンドタイミングオフセット５３４）に関係するパラメータを識別する。その後、方法７００は、ブロック７０６に続くことができる。ここで、ブロック７０４で識別したパラメータの関数としてブロック７０２で取得したように第１のスロットに対応するチャネル測定値および第２のスロットに対応するチャネル測定値から（例えば、ＴＰＣ制御器５３０によって）チャネル測定値を選択する。最後に、ブロック７０８で、ブロック７０６で選択されたチャネル測定値の少なくとも一部に基づいて（例えば、ＴＰＣコマンド生成器１１４、１２４、および／または５４０によって）電力制御コマンドビットを生成する。
【００４５】
図８に移って、ワイヤレス通信環境の送信機電力制御ビットの生成および処理のための別の方法を説明する。方法８００は、例えば、ノードＢ、ＵＴＲＡＮ制御器、および／または他の適切なネットワークエンティティによって実行される。方法８００は、ブロック８０２で開始する。ここで関連するＲＬＳのサイズおよびＴＰＣ  ｂｐｇオフセットパラメータを識別する。次に、方法８００は、ブロック８０４に進むことができ、ここで、ブロック８０２で識別したＲＬＳサイズが１より大きいかを判断する、および／またはブロック８０６に進むことができ、ここで、ブロック８０２で識別されたＴＰＣ  ｂｐｇオフセットが０または１に等しいかを判断する。ブロック８０４またはブロック８０６のいずれかで否定の判断であった後、方法８００は、ブロック８０８に進むことができる。ここで、ＵＬ  ＳＩＲ測定値を特定のスロットのために取得する。そして、ブロック８１０に進むことができる。ここで、ブロック８０８で取得したＵＬ  ＳＩＲ測定値に基づいて特定のスロットのためにＤＬ  ＴＰＣコマンドを生成する。そうでなければ、ブロック８０４およびブロック８０６の両方で肯定の判断の後、方法８００は、ブロック８１２に進むことができる。ここで、ＵＬ測定値を特定のスロットのために取得する。そして、ブロック８１４に進むことができる。ここで、ブロック８１２で取得したように特定のスロットのためのＵＬ  ＳＩＲ測定値に基づいて特定のスロットの直後のスロットのためにＤＬ  ＴＰＣコマンドを生成する。
【００４６】
図９は、ワイヤレス通信システム内の電力制御操作を容易にする装置９００を説明する。装置９００が、プロセッサ、ソフトウェア、またはその組み合わせ（たとえば、ファームウェア）によってインプリメントされる機能を表す機能ブロックとすることができる機能ブロックを含むものとして表されていることを認識されたい。装置９００は、基地局（例えば、基地局１１０および／または１２０またはノードＢ５０２）および／または任意の他の適切なネットワークデバイスによってインプリメントされることができ、関連するＲＬＳサイズおよびＴＰＣタイミングオフセットを判断するためのモジュール９０２と、チャネル測定がＲＬＳサイズおよびＴＰＣタイミングオフセットに基づいて実行されるスロットを選択するためのモジュール９０４と、特定のスロットでチャネル測定を実行するためのモジュールと９０６と、特定のスロットに対応するＴＰＣコマンドビットをチャネル測定値と関連させるためのモジュール９０８と、を含むことができる。
【００４７】
図１０は、ここで説明する機能の様々な態様をインプリメントするために利用できるシステム１０００のブロック図である。一例では、システム１０００は、基地局またはノードＢ１００２を含む。図示のように、ノードＢ１００２は、１つまたは複数の受信（Ｒｘ）アンテナ１００６を介して１つまたは複数のＵＥ１００４から（１つまたは複数の）信号を受信し、１つまたは複数の送信（Ｔｘ）アンテナ１００８を介して１つまたは複数のＵＥ１００４にその信号を送信することができる。さらに、ノードＢ１００２は、（１つまたは複数の）受信アンテナ１００６から情報を受信する受信機１０１０を備えることができる。１つの例では、受信機１０１０は、受信した情報を復調する復調器（Ｄｅｍｏｄ）１０１２に動作可能に結合できる。次いで、復調されたシンボルは、プロセッサ１０１４によって分析できる。プロセッサ１０１４は、コードクラスタ、アクセス端末割り当て、それに関するルックアップテーブル、固有のスクランブルシーケンスに関する情報、および／または他の適切なタイプの情報を記憶することができるメモリ１０１６に結合できる。さらに、ノードＢ１００２は、方法７００〜８００ならびに／または他の同様のおよび適切な方法を実行するために、プロセッサ１０１４を採用することができる。１つの例では、ノードＢ１００２はまた、送信機１０２０によって（１つまたは複数の）送信アンテナ１００８を介して送信するために信号を多重化することができる変調器１０１８を含むことができる。
【００４８】
図１１は、ここで説明する機能の様々な態様をインプリメントするために利用できる別のシステム１１００のブロック図である。１つの例では、システム１１００は、モバイル端末１１０２を含む。説明するように、モバイル端末１１０２は、１つまたは複数のアンテナ１１０８を介して、１つまたは複数の基地局１１０４から（１つまたは複数の）信号を受信し、１つまたは複数の基地局１１０４にその信号を送信することができる。さらに、モバイル端末１１０２は、（１つまたは複数の）アンテナ１１０８から情報を受信する受信機１１１０を備えることができる。１つの例では、受信機１１１０は、受信した情報を復調する復調器（Ｄｅｍｏｄ）１１１２に動作可能に結合できる。次いで、復調されたシンボルは、プロセッサ１１１４によって分析できる。プロセッサ１１１４は、モバイル端末１１０２に関するデータおよび／またはプログラムコードを記憶することができるメモリ１１１６に結合できる。モバイル端末１１０２はまた、送信機１１２０によって（１つまたは複数の）アンテナ１１０８を介して送信するために信号を多重化することができる変調器１１１８を含むことができる。
【００４９】
次に図１２を参照すると、様々な態様によるワイヤレス多元接続通信システムの図が与えられている。一例では、アクセスポイント１２００（ＡＰ）が複数のアンテナグループを含む。図１２に説明するように、１つのアンテナグループはアンテナ１２０４および１２０６を含み、別のアンテナグループはアンテナ１２０８および１２１０を含み、別のアンテナグループはアンテナ１２１２および１２１４を含むことができる。図１２では、アンテナグループごとに２つのアンテナのみが示されているが、アンテナグループごとにより多いまたはより少ないアンテナが利用できることが認識されるべきである。別の例では、アクセス端末１２１６はアンテナ１２１２および１２１４と通信中とすることができ、アンテナ１２１２および１２１４は、順方向リンク１２２０上でアクセス端末１２１６に情報を送信し、逆方向リンク１２１８上でアクセス端末１２１６から情報を受信する。追加および／または代替として、アクセス端末１２２２はアンテナ１２０６および１２０８と通信中とすることができ、アンテナ１２０６および１２０８は、順方向リンク１２２６上でアクセス端末１２２２に情報を送信し、逆方向リンク１７２４上でアクセス端末１２２２から情報を受信する。周波数分割複信システムでは、通信リンク１２１８、１２２０、１２２４および１２２６は、通信のための異なる周波数を使用することができる。例えば、順方向リンク１２２０は、逆方向リンク１２１８によって使用される周波数とは異なる周波数を使用することができる。
【００５０】
アンテナの各グループ、および／またはアンテナが通信するために設計されたエリアは、アクセスポイントのセクタと呼ばれることがある。一態様によれば、アンテナグループは、アクセスポイント１２００によってカバーされるエリアのセクタ内でアクセス端末に通信するように設計できる。順方向リンク１２２０および１２２６上の通信では、アクセスポイント１２００の送信アンテナは、異なるアクセス端末１２１７および１２２２に対して順方向リンクの信号対雑音比を改善するためにビームフォーミングを利用することができる。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００５１】
アクセスポイント、たとえばアクセスポイント１２００は、端末と通信するために使用される固定局とすることができ、基地局、ｅＮＢ、アクセスネットワーク、および／または他の好適な用語で呼ばれることもある。さらに、アクセス端末、たとえばアクセス端末１２１６または１２２２は、モバイル端末、ユーザ機器、ワイヤレス通信デバイス、端末、ワイヤレス端末、および／または他の適切な用語で呼ばれることもある。
【００５２】
次に図１３を参照すると、ここで説明する様々な態様が機能することができる、例示的なワイヤレス通信システム１３００を示すブロック図が与えられている。１つの例では、システム１３００は、送信機システム１３１０と受信機システム１３５０とを含む多入力多出力（ＭＩＭＯ）システムである。しかしながら、送信機システム１３１０および／または受信機システム１３５０は、たとえば、（たとえば、基地局上の）複数の送信アンテナが１つまたは複数のシンボルストリームを単一のアンテナデバイス（たとえば、移動局）に送信することができる、多入力単出力システムにも適用できることを認識すべきである。さらに、本明細書で説明する送信機システム１３１０および／または受信機システム１３５０の態様は、単出力単入力アンテナシステムに関して利用できることを認識すべきである。
【００５３】
一態様によれば、送信機システム１３１０において、いくつかのデータストリームのトラフィックデータがデータソース１３１２から送信（ＴＸ）データプロセッサ１３１４に供給される。１つの例では、各データストリームは、次いで、それぞれの送信アンテナ１３２４を介して送信できる。さらに、ＴＸデータプロセッサ１３１４は、符号化データを供給するために、それぞれのデータストリーム用に選択された特定の符号化方式に基づいて、データストリームごとにトラフィックデータをフォーマット化し、符号化し、インタリーブすることができる。１つの例では、各データストリームの符号化データは、次いで、ＯＦＤＭ技法を使用してパイロットデータで多重化できる。パイロットデータは、例えば、既知の方法で処理される既知のデータパターンとすることができる。さらに、パイロットデータは、チャネル応答を推定するために受信機システム１３５０において使用できる。送信機システム１３１０に戻ると、各データストリームの多重化されたパイロットデータおよび符号化データは、変調シンボルを供給するために、それぞれのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）できる。１つの例では、各データストリームのデータレート、符号化、および変調は、プロセッサ１３３０上で実行される命令および／またはプロセッサ１３３０によって与えられる命令によって判断できる。
【００５４】
次に、すべてのデータストリームの変調シンボルはＴＸプロセッサ１３２０に供給でき、ＴＸプロセッサ１３２０は、（たとえば、ＯＦＤＭ用に）変調シンボルをさらに処理することができる。次いで、ＴＸ  ＭＩＭＯプロセッサ１３２０は、ＮＴ個の変調シンボルストリームをＮＴ個のトランシーバ１３２２ａ〜１３２２ｔに供給することができる。１つの例では、各トランシーバ１３２２は、それぞれのシンボルストリームを受信し、処理して、１つまたは複数のアナログ信号を供給することができる。次いで、各トランシーバ１３２２は、それらのアナログ信号をさらに調整（たとえば、増幅、フィルタリング、およびアップコンバート）して、ＭＩＭＯチャネルを介して送信するのに適した変調信号を供給することができる。したがって、トランシーバ１３２２ａ〜１３２２ｔからのＮＴ個の変調信号は、次いで、それぞれ、ＮＴ個のアンテナ１３２４ａ〜１３２４ｔから送信できる。
【００５５】
別の態様によれば、送信された変調信号は、ＮＲ個のアンテナ１３５２ａ〜１３５２ｒによって受信機システム１３５０において受信できる。次いで、各アンテナ１３５２から受信した信号は、それぞれのトランシーバ１３５４に供給できる。１つの例では、各トランシーバ１３５４は、それぞれの受信信号を調整（たとえば、フィルタリング、増幅、およびダウンコンバート）し、調整された信号をデジタル化して、サンプルを供給し、次いで、それらのサンプルを処理して、対応する「受信」シンボルストリームを供給することができる。次いで、ＲＸ  ＭＩＭＯ／データプロセッサ１３６０は、特定の受信機処理技法に基づいてＮＲ個のトランシーバ１３５４からＮＲ個の受信シンボルストリームを受信し、処理して、ＮＴ個の「検出」シンボルストリームを供給することができる。１つの例では、各検出シンボルストリームは、対応するデータストリームに関して送信される変調シンボルの推定であるシンボルを含むことができる。次いで、ＲＸプロセッサ１８６０は、各検出シンボルストリームを少なくとも部分的に復調し、デインタリーブし、復号することによって、各シンボルストリームを処理して、対応するデータストリームに関するトラフィックデータを復元することができる。したがって、ＲＸデータプロセッサ１３６０による処理は、送信機システム１３１０においてＴＸ  ＭＩＭＯプロセッサ１３２０およびＴＸデータプロセッサ１３１６によって実行される処理を補足することができる。ＲＸプロセッサ１３６０は、さらに、処理されたシンボルストリームをデータシンク１３６４に供給することができる。
【００５６】
１つの態様によれば、ＲＸプロセッサ１３６０によって生成されるチャネル応答推定は、受信機において空間／時間処理を実行し、電力レベルを調整し、変調レートまたは方式を変更し、および／あるいは他の適切なアクションを実行するために使用できる。さらに、ＲＸプロセッサ１３６０は、たとえば、検出シンボルストリームの信号対雑音干渉比（ＳＮＲ）などのチャネル特性をさらに推定することができる。次いで、ＲＸプロセッサ１３６０は、推定されたチャネル特性をプロセッサ１３７０に供給することができる。１つの例では、ＲＸプロセッサ１３６０および／またはプロセッサ１３７０は、システムに関する「動作」ＳＮＲの推定をさらに導出することができる。次いで、プロセッサ１３７０は、通信リンクおよび／または受信データストリームに関する情報を備えることができるチャネル状態情報（ＣＳＩ）を与えることができる。この情報は、たとえば、動作ＳＮＲを含むことができる。次いで、ＣＳＩは、ＴＸデータプロセッサ１３１８によって処理し、変調器１３８０によって変調し、トランシーバ１３５４ａ〜１３５４ｒによって調整し、送信機システム１３１０に返信することができる。さらに、受信機システム１３５０におけるデータソース１３１６は、ＴＸデータプロセッサ１３１８によって処理される追加のデータを与えることができる。
【００５７】
送信機システム１３１０に戻ると、次いで、受信機システム１３５０からの変調信号は、アンテナ１３２４によって受信し、トランシーバ１３２２によって調整し、復調器１３４０によって復調し、ＲＸデータプロセッサ１３４２によって処理して、受信機システム１３５０によって報告されたＣＳＩを復元することができる。１つの例では、報告されたＣＳＩは、次いで、１つまたは複数のデータストリームのために使用されるべきデータレートならびに符号化および変調方式を判断するために、プロセッサ１３３０に供給し、使用することができる。次いで、判断された符号化および変調方式は、受信機システム１３５０への後の送信における量子化および／または使用のために、トランシーバ１３２２に供給できる。追加および／または代替として、報告されたＣＳＩは、ＴＸデータプロセッサ１３１４およびＴＸ  ＭＩＭＯプロセッサ１３２０のための様々な制御を生成するためにプロセッサ１３３０によって使用できる。別の例では、ＲＸデータプロセッサ１３４２によって処理されるＣＳＩおよび／または他の情報は、データシンク１３４４に供給できる。
【００５８】
１つの例では、送信機システム１３１０におけるプロセッサ１３３０および受信機システム１３５０におけるプロセッサ１３７０は、それらのそれぞれのシステムにおいて動作を指令する。さらに、送信機システム１３１０におけるメモリ１３３２および受信機システム１３５０におけるメモリ１３７２は、それぞれ、プロセッサ１３３０および１３７０によって使用されるプログラムコードおよびデータの記憶域を与えることができる。さらに、受信機システム１３５０において、ＮＲ個の受信信号を処理して、ＮＴ個の送信シンボルストリームを検出するために、様々な処理技法が使用できる。これらの受信機処理技法は、等化技法とも呼ばれることがある空間および時空間受信機処理技法、および／または「逐次干渉消去」または「逐次消去」受信機処理技法とも呼ばれることがある「逐次ヌリング／等化および干渉消去」受信機処理技法を含むことができる。
【００５９】
ここで説明した態様は、ハードウェア、ソフトウェア、ファームウェア、ミドルウェア、マイクロコード、またはそれらの任意の組み合わせでインプリメントできることを理解されたい。システムおよび／または方法は、ソフトウェア、ファームウェア、ミドルウェアまたはマイクロコード、プログラムコードまたはコードセグメントにおいてインプリメントした場合、記憶コンポーネントなどの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組み合わせを表わすことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【００６０】
ソフトウェアインプリメントの場合、本明細書で説明する技法は、本明細書で説明する機能を実行するモジュール（たとえば、プロシージャ、関数など）を用いてインプリメントできる。ソフトウェアコードは、メモリユニットに記憶し、プロセッサによって実行することができる。メモリユニットは、プロセッサの内部またはプロセッサの外部にインプリメントでき、その場合、当技術分野で知られているように様々な手段によってプロセッサに通信可能に結合できる。
【００６１】
上記の説明は１つまたは複数の態様の例を含む。もちろん、上述の態様について説明する目的で、コンポーネントまたは方法のあらゆる考えられる組み合わせについて説明することは不可能であるが、当業者なら、様々な態様の多数のさらなる組み合わせおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
以下に本件出願当初の特許請求の範囲に記載された発明を付記する。
［Ｃ１］
無線フレーム内の第１のスロットおよび前記無線フレーム内の前記第１のスロットに続く第２のスロットに対応するチャネル測定値を取得することと、
関連するＲＬＳ（無線リンクセット）および電力制御コマンド情報タイミングオフセットのサイズに関連するパラメータを識別することと、
前記識別したパラメータの関数として前記第１のスロットに対応する前記チャネル測定値または前記第２のスロットに対応する前記チャネル測定値を選択することと、
前記選択したチャネル測定値に基づいて前記無線フレーム内の前記第２のスロットで電力制御コマンド情報を生成することと、
を備える方法。
［Ｃ２］
前記選択することは、前記関連するＲＬＳの前記サイズが１より大きく、前記電力制御コマンド情報タイミングオフセットが前記第１のスロットに関連する電力制御コマンド結合周期と、前記第１のスロットの周期との間の差より少ない場合、前記第１のスロットに対応する前記チャネル測定値を選択することを備える、
［Ｃ１］に記載の方法。
［Ｃ３］
前記電力制御コマンド情報タイミングオフセットが０または１ビットと等しい場合、前記選択することは、前記第１のスロットに対応する前記チャネル測定値を選択することを備える、
［Ｃ２］に記載の方法。
［Ｃ４］
前記電力制御コマンド情報は、送信機電力制御（ＴＰＣ）コマンドビットを備える、
［Ｃ１］に記載の方法。
［Ｃ５］
前記取得することは、前記第１のスロットおよび前記第２のスロットに対応するＳＩＲ（信号対干渉比）測定値を取得することを備える、
［Ｃ１］に記載の方法。
［Ｃ６］
前記取得することは、
ＵＥ（ユーザ装置ユニット）からパイロット信号を受信することと、
前記パイロット信号の品質を測定することと、
を備える、［Ｃ１］に記載の方法。
［Ｃ７］
前記パイロット信号は、ＤＰＣＣＨ（専用物理制御チャネル）パイロット信号を通じて前記ＵＥから受信される、
［Ｃ６］に記載の方法。
［Ｃ８］
Ｆ−ＤＰＣＨ（フラクショナル専用物理チャネル）上で前記電力制御コマンド情報を送信することをさらに備える、
［Ｃ１］に記載の方法。
［Ｃ９］
チャネル測定値の選択まで、前記第１のスロットに対応する前記チャネル測定値または前記第２のスロットに対応する前記チャネル測定値のうちの少なくとも１つをバッファすることをさらに備える、
［Ｃ１］に記載の方法。
［Ｃ１０］
ワイヤレス通信装置であって、
前記ワイヤレス通信装置に関連するＲＬＳ（無線リンクセット）サイズおよびＴＰＣ（送信機電力制御）タイミングオフセットパラメータに関するデータを格納するためのメモリと、
無線フレーム内の第１のスロットおよび前記無線フレーム内の前記第１のスロットに続く第２のスロットに対応するチャネル測定値を取得し、前記ＲＬＳサイズおよび前記ＴＰＣタイミングオフセットパラメータに基づいて前記取得したチャネル測定値からチャネル測定値を選択し、前記選択したチャネル測定値を使用するＴＰＣコマンドビットを生成するように構成されたプロセッサと、
を備えるワイヤレス通信装置。
［Ｃ１１］
前記ＲＬＳサイズが１より大きく前記ＴＰＣタイミングオフセットパラメータが無線フレームスロットに関連するＴＰＣ結合ウィンドウと前記無線フレームスロットの境界との間のオフセットとの間オフセットより小さい場合、前記プロセッサは、前記第１のスロットに対応する前記チャネル測定値を選択するようにさらに構成される、
［Ｃ１０］に記載のワイヤレス通信装置。
［Ｃ１２］
前記ＴＰＣタイミングオフセットが前記無線フレームスロット内の１ビット以下に対応する場合、前記プロセッサは、前記第１のスロットに対応する前記チャネル測定値を選択するようにさらに構成される、
［Ｃ１１］に記載のワイヤレス通信装置。
［Ｃ１３］
前記チャネル測定値は、それぞれＳＩＲ（信号対干渉比）測定値を備える、
［Ｃ１０］に記載のワイヤレス通信装置。
［Ｃ１４］
前記プロセッサは、ユーザ端末からパイロット信号を受信し、前記パイロット信号の品質を測定することによってチャネル測定値を取得するように構成される、
［Ｃ１０］に記載のワイヤレス通信装置。
［Ｃ１５］
前記プロセッサは、ＤＰＣＣＨ（専用物理制御チャネル）を通じて前記パイロット信号を受信するように構成される、
［Ｃ１４］に記載のワイヤレス通信装置。
［Ｃ１６］
前記プロセッサは、Ｆ−ＤＰＣＨ（フラクショナル専用物理チャネル）上で前記ＴＰＣコマンドビットを送信するようにさらに構成される、
［Ｃ１０］に記載のワイヤレス通信装置。
［Ｃ１７］
前記プロセッサは、チャネル測定値の選択まで前記メモリ内に、前記第１のスロットに対応する前記チャネル測定値または前記第２のスロットに対応する前記チャネル測定値のうちの少なくとも１つを記憶するよう命令するようさらに構成される、
［Ｃ１０］に記載の［Ｃ１０］のワイヤレス通信装置。
［Ｃ１８］
ワイヤレス通信システムで動作可能な装置であって、前記装置は、
関連するＲＬＳ（無線リンクセット）サイズおよびＴＰＣ（送信機電力制御）ビットタイミングオフセットを判断するための手段と、
チャネル測定が前記ＲＬＳサイズおよび前記ＴＰＣビットタイミングオフセットに基づいて実行されることになるスロットを選択するための手段と、
前記選択されたスロット上でチャネル測定を実行するための手段と、
チャネル測定が実行されるスロットまたはチャネル測定が実行される前記スロットに続くスロットのうちの１つに対応するＴＰＣコマンドビットを前記チャネル測定と関連付けるための手段と、
を備える装置。
［Ｃ１９］
前記選択するための手段は、前記ＲＬＳサイズが１より大きく前記ＴＰＣビットタイミングオフセットが前記ＴＰＣコマンドビットと関連する前記スロットと関連するＴＰＣ結合ウィンドウと前記ＴＰＣコマンドビットと関連する前記スロットの境界との間のオフセットより小さい場合、前記ＴＰＣコマンドビットに対応する前記スロットに先行するスロットを選択し、さもなければ前記ＴＰＣコマンドビットに対応する前記スロットを選択するための手段を備える、
［Ｃ１８］に記載の装置。
［Ｃ２０］
前記選択するための手段は、前記ＴＰＣビットタイミングオフセットがゼロのオフセットまたは１ビットオフセットに対応する場合、前記ＴＰＣコマンドビットに対応する前記スロットに先行するスロットを選択するための手段をさらに備える、
［Ｃ１９］に記載の装置。
［Ｃ２１］
前記チャネル測定を実行するための手段は、それぞれ前記選択したスロット上でＳＩＲ（信号対干渉比）測定を実行するための手段を備える、
［Ｃ１８］に記載の装置。
［Ｃ２２］
前記チャネル測定を実行するための手段は、
端末からパイロット信号を受信するための手段と、
前記パイロット信号の品質を測定するための手段と、
を備える、［Ｃ１８］に記載の装置。
［Ｃ２３］
前記パイロット信号を受信するための手段は、ＤＰＣＣＨ（専用物理制御チャネル）を通じて前記パイロット信号を受信するための手段を備える、
［Ｃ２２］に記載の装置。
［Ｃ２４］
Ｆ−ＤＰＣＨ（フラクショナル専用物理チャネル）上で前記ＴＰＣコマンドビットを通信するための手段をさらに備える［Ｃ１８］に記載の装置。
［Ｃ２５］
コンピュータに、ＲＬＳ（無線リンクセット）および電力制御コマンドタイミングオフセットを識別させるためのコードと、
コンピュータに、第１の無線フレームスロットおよび前記第１の無線フレームスロットの直後の第２の無線フレームスロットに対応するチャネル測定値を取得させるためのコードと、
コンピュータに、前記ＲＬＳサイズおよび前記電力制御コマンドタイミングオフセットの関数として取得したチャネル測定値を選択させるためのコードと、
コンピュータに、前記選択したチャネル測定値を使用する前記第２の無線フレームスロットで電力制御コマンドインジケータを生成させるためのコードと、
を備えるコンピュータ可読媒体を備える、
コンピュータプログラム製品。
［Ｃ２６］
前記コンピュータに選択させるためのコードは、コンピュータに、前記関連するＲＬＳサイズが１より大きく、前記電力制御コマンドタイミングオフセットが前記第１の無線フレームスロットと関連する電力制御コマンド結合周期と前記第１の無線フレームスロットの境界との間の差より小さい場合、前記第１の無線フレームに対応する前記チャネル測定値を選択させるためのコードを備える、
［Ｃ２５］に記載のコンピュータプログラム製品。
［Ｃ２７］
前記電力制御コマンドオフセットが０ｂｐｇ（基本処理グループ）または１ｂｐｇである場合、前記コンピュータに選択させるためのコードは、コンピュータに、前記第１の無線フレームスロットに対応する前記チャネル測定値を選択させるためのコードを備える、 ［Ｃ２６］に記載のコンピュータプログラム製品。
［Ｃ２８］
前記電力制御コマンドインジケータは、ＴＰＣ（送信機電力制御）コマンドビットを備える、
［Ｃ２５］に記載のコンピュータプログラム製品。
［Ｃ２９］
前記コンピュータに取得させるためのコードは、コンピュータに、前記第１の無線フレームスロットおよび前記第２の無線フレームスロットに対応するＳＩＲ（信号対干渉比）測定値を取得させるためのコードを備える、
［Ｃ２５］に記載のコンピュータプログラム製品。
［Ｃ３０］
前記コンピュータに取得させるためのコードは、
コンピュータに、前記第１の無線フレームスロットおよび前記第２の無線フレームスロットでＵＥ（ユーザ装置ユニット）からパイロット信号を受信させるためのコードと、
コンピュータに、前記パイロット信号の品質を測定させるためのコードと、
を備える、［Ｃ２５］に記載のコンピュータプログラム製品。
［Ｃ３１］
前記コンピュータにパイロット信号を受信させるためのコードは、ＤＰＣＣＨ（専用物理制御チャネル）を通じて前記ＵＥからパイロット信号を受信させるためのコードを備える、
［Ｃ３０］に記載のコンピュータプログラム製品。
［Ｃ３２］
前記コンピュータ可読媒体は、コンピュータに、Ｆ−ＤＰＣＨ（フラクショナル専用物理チャネル）上で前記電力制御コマンドインジケータを送信させるためのコードをさらに備える、
［Ｃ２５］に記載の装置。
［Ｃ３３］
前記コンピュータ可読媒体は、コンピュータに、チャネル測定値の選択まで、前記第１の無線フレームスロットに対応する前記チャネル測定値または前記第２の無線フレームスロットに対応する前記チャネル測定値のうちのすくなくとも１つをバッファさせるためのコードをさらに備える、
［Ｃ２５］に記載のコンピュータプログラム製品。
［Ｃ３４］
関連するＲＬＳ（無線リンクセット）内の無線リンクの数を識別することと、
ＴＰＣ（送信機電力制御）コマンドビットの送信に関連するタイミングオフセットパラメータを識別することと、
所与の無線フレームスロットでＵＥ（ユーザ装置ユニット）から取得した１つ複数のパイロットシンボルからＳＩＲ（信号対干渉比）を取得することと、
前記ＲＬＳが２つ以上の無線リンクを含み前記タイミングオフセットパラメータが０−ｂｐｇ（基本処理グループ）ＴＰＣオフセットまたは１−ｂｐｇ ＴＰＣオフセットを含むことを決定した後に前記ＳＩＲ測定値を取得した前記無線フレームスロットの直後の無線フレームスロットで前記ＳＩＲ測定値を使用するＴＰＣコマンドビットを生成することと、
を備える方法。
【図１】
0005378521.tif 000002
【図２】
0005378521.tif 000003
【図３】
0005378521.tif 000004
【図４】
0005378521.tif 000005
【図５】
0005378521.tif 000006
【図６】
0005378521.tif 000007
【図７】
0005378521.tif 000008
【図８】
0005378521.tif 000009
【図９】
0005378521.tif 000010
【図１０】
0005378521.tif 000011
【図１１】
0005378521.tif 000012
【図１２】
0005378521.tif 000013
【図１３】
0005378521.tif 000014